(57)【要約】【課題】急激に立ち上がるテ−パ−角のテ−パ−部を形成することなく隙間を埋めて糸落ちを防止できる魚釣用スピニングリ−ルを提供することである。【解決手段】スプ−ル５の外側は前側鍔部５ａと釣糸巻回胴部５ｂと円筒部５ｃを備えた後側鍔部５ｄと後側鍔部５ｄの外周後方側にスプ−ル軸１８後方に向けて漸次小径となるテ−パ−部５ｅとテ−パ−部５ｅより後方にスプ−ル軸１８に対するテ−パ−角度が略平行な第二の円筒部５ｆとで形成されている。【選択図】　　　　図３
2004033116.tif 000002
【特許請求の範囲】
【請求項１】
前側鍔部と、釣糸巻回胴部と、円筒部を備えた後側鍔部とからなるスプ−ルをスプ−ル軸に装着した魚釣用スピニングリ−ルにおいて、前記スプ−ルにおける後側鍔部の外周後方側にスプ−ル軸後方に向けて漸次小径となるテ−パ−部を形成し、前記テ−パ−部より後方に第二の円筒部を形成したことを特徴とする魚釣用スピニングリ−ル。
【請求項２】
前記第二の円筒部の外周後端側に、スプ−ル軸後方に向けて漸次小径となる第二のテ−パ−部を形成したことを特徴とする請求項１記載の魚釣用スピニングリ−ル。
【請求項３】
前記第二の円筒部の外周面に溝を単一又は複数形成したことを特徴とする請求項１又は２記載の魚釣用スピニングリ−ル。
【発明の詳細な説明】
【０００１】
【発明の属する技術分野】
本発明は、スプ−ルの後側鍔部の後方の円筒部の形状を改良した魚釣用スピニングリ−ルに関する。
【０００２】
【従来の技術】
従来、魚釣用スピニングリ−ルはハンドルの巻取り駆動で回転するロ−タの支持腕に取付けられた釣糸案内装置を介して釣糸をスプ−ルに巻回保持する構成である。
通常スピニングリ−ルのロ−タは、円筒部と、円筒部より延出された一対の腕部とで構成されたロ−タ本体と、該腕部に反転可能に支持され、一方に釣糸案内部材を備えた一対のベ−ル支持部材と、該一対のベ−ル支持部材にて支持されたベ−ルとで構成されている。
又、スプ−ルは前側鍔部、釣糸巻回胴部、スカ−ト部（円筒部）を有する後側鍔部とで構成されている。
【０００３】
近年、リ−ルの形態として、リ−ル本体及びロ−タは、重量及びロ−タの回転バランスを考慮してそのサイズをコンパクト化する方向で設計されている。
これに対してスプ−ルの形状は、糸グセを付き難くし、糸巻量を確保するべく、大口径化される傾向にある。
前記リ−ル本体、ロ−タ、及びスプ−ルを組合せると、小径化されたロ−タの円筒部と大口径化されたスプ−ルの後側鍔部の円筒部との間に大きな隙間が生じ、実釣時における糸ふけ等のトラブルが発生した際、この隙間に糸が侵入してしまう糸落ちが発生する。
前記不具合を改善するべくスプ−ル後側鍔部の外周後端側にスプ−ル軸方向後方へ向けて順次小径となるテ−パ−部を形成して、小径のロ−タ円筒部と大口径スプ−ルの後側鍔部のスカ−ト部との間の空間を塞ぎ、糸落ちを防止しながら誤って後方へ落ちた釣糸をスム−ズに前方へ案内する構成は特開平１０−２１０８９８号公報等により知られている。
【０００４】
しかし、前記公報の構成は、リ−ルが大型の場合などの、スプ−ル後側鍔部のスカ−ト部とロ−タ円筒部の間の隙間が大きくなるほど、スプ−ル後端のテ−パ−部を幅広に形成する必要があるが、スプ−ル後部スカ−ト部に糸止め等の部材を固定している一般的なスプ−ルの場合、円筒部分が軸線方向で所定の幅だけ必要となるので、テ−パ−部はあまり幅広く設定できない。
前記の理由から、隙間が大きい場合の空間を埋めるテ−パ−面は、テ−パ−角を急激に立ち上げる必要があるが、この場合、スプ−ル後端に急角度で広範囲にテ−パ−部を形成すると、釣糸が前方へ抜け難くなり、スプ−ル後方よりロ−タ円筒部に脱落した釣糸がスム−ズに前方に抜け難くなる不具合が生じる。
【０００５】
【発明が解決しようとする課題】
解決しようとする問題点は、近年、リ−ルの形態として、リ−ル本体及びロ−タは、重量及びロ−タの回転バランスを考慮してそのサイズをコンパクト化する方向で設計されている。
これに対してスプ−ルの形状は、糸グセを付き難くし、糸巻量を確保するべく、大口径化される傾向にある。
前記リ−ル本体、ロ−タ、及びスプ−ルを組合せると、小径化されたロ−タの円筒部と大口径化されたスプ−ルの後側鍔部の円筒部との間に大きな隙間が生じ、実釣時における糸ふけ等のトラブルが発生した際、この隙間に糸が侵入してしまう糸落ちが発生する。
【０００６】
前記大きな隙間を塞ぐために、スプ−ル後端のテ−パ−部を軸方向に長くすると後側鍔部の円筒部が短くなって糸止め等の部材を固定できなくなり、テ−パ−部のテ−パ−角を急激に立ち上げるとスプ−ル後方よりロ−タ円筒部に脱落した釣糸がスム−ズに前方に抜け難くなる不具合が生じることである。
【０００７】
本発明の目的は前記欠点に鑑み、急激に立ち上がるテ−パ−角のテ−パ−部を形成することなく隙間を埋めて糸落ちを防止できる魚釣用スピニングリ−ルを提供することである。
【０００８】
【課題を解決するための手段】
上記課題を解決するために、
請求項１に係わる本発明は、前側鍔部と、釣糸巻回胴部と、円筒部を備えた後側鍔部とからなるスプ−ルをスプ−ル軸に装着した魚釣用スピニングリ−ルにおいて、前記スプ−ルにおける後側鍔部の外周後方側にスプ−ル軸後方に向けて漸次小径となるテ−パ−部を形成し、前記テ−パ−部より後方に第二の円筒部を形成したことを要旨とするものである。
請求項２に係わる本発明は、前記第二の円筒部の外周後端側に、スプ−ル軸後方に向けて漸次小径となる第二のテ−パ−部を形成したことを要旨とするものである。
請求項３に係わる本発明は、前記第二の円筒部の外周面に溝を単一又は複数形成したことを要旨とするものである。
【０００９】
【発明の実施の形態】
請求項１の本発明により、リ−ル本体１をコンパクト化する目的でロ−タ３の大径の筒部３ｃを小径化した際に、筒部３ｃとスプ−ル５の後側鍔部５ｄの後側の円筒部５ｃの隙間を埋めるテ−パ−部５ｅより後方に第二の円筒部５ｆを形成することで、スプ−ル５の後部へ糸落ちしても第二の円筒部５ｆがロ−タ３への糸落ちを防ぎ、テ−パ−部５ｅへスム−ズに釣糸を案内できるので、糸が抵抗や引っ掛かりを生じること無く前方へ抜けることが出来る。
テ−パ−部５ｅより後方に落ちた釣糸を第二の円筒部５ｆより後方へ糸落ちするのを防ぎ、糸落ち防止効果が高まる。
【００１０】
請求項２の本発明により、ロ−タ３の筒部３ｃをより小径に、スプ−ル５の後側鍔部５ｄを大口径にしても、第二のテ−パ−部５ｍが糸を掬い、第二の円筒部５ｆで釣糸を前方側へ抜け易く移動させ、第一のテ−パ−部５ｅでスプ−ル５の最外周まで釣糸を移動させるので、途中で釣糸が引っ掛かりを生じたり、テ−パ−角が急で最外周まで糸が案内されないトラブルを解消出来る。
又、従来の第一のテ−パ−部を緩い傾斜とすると、第一の円筒部の軸線方向の長さが短く狭くなるが、上記のように第二のテ−パ−部５ｍまで設けると、最外周の円筒部５ｃの長さを短く狭くせずに済むので、糸止め等の部品を組み込むスペ−スが充分に確保でき、スプ−ル５の後側鍔部５ｄの不要な大型化を防ぐことが可能となる。
請求項３の本発明により、スプ−ル５の第二の円筒部５ｆ外周面に周溝５ｉが形成されていると、周溝５ｉが釣糸の後方への移動にブレ−キを掛けるので、糸落ち防止効果が更に向上する。
【００１１】
【実施例】
以下、図示の実施例によって本発明を説明すると、図１から図３は第１実施例で、図１は魚釣用スピニングリ−ルの側面図、図２はスプ−ルの平面図、図３は魚釣用スピニングリ−ルの要部断面側面図と一部拡大断面側面図である。
【００１２】
リ−ル本体１には後側の軸受１０とカラ−１１を介して前側の軸受１２で回転軸筒２が回転自在に軸承されると共に回転軸筒２の端部にはピニオン２ａが形成されている。
カラ−１１の前側の回転軸筒２の外周にロ−タ３の筒部３ａが回り止め嵌合されて回転軸筒２の先端に形成されたネジ部に螺合されたナット１３で固定されている。
軸受１２より後側のカラ−１１の外周にころがり式一方向回転規制機構Ａが設けられてリ−ル本体１の後側に突出された操作杆１４と操作ツマミ１５で操作される。
回転軸筒２のピニオン２ａに駆動歯車４が噛合され、駆動歯車４の回転軸４ａの中心多角形孔にハンドル１６が固定されたハンドル軸１７が左右交換自在に挿入嵌合されて取り付けられている。
【００１３】
回転軸筒２のピニオン２ａに駆動歯車４が噛合されてロ−タ３はハンドル１６の回転に連動して回転されるように支持されている。
回転軸筒２の中心孔にはスプ−ル軸１８が前後往復動可能に摺動自在に挿入され、スプ−ル軸１８の先端にスプ−ル５が取り付けられてスプ−ル軸１８とスプ−ル５はハンドル１６の回転でオシレ−ト機構Ｂを介して前後に往復動される。
ロ−タ３は筒部３ａで回転軸筒２に取り付けられ、筒部３ａと前壁３ｂと大径の筒部３ｃと大径の筒部３ｃの基部の外周から前方に向けて突出された一対の支持腕３ｄ、３ｅとで形成されて支持腕３ｄ、３ｅに凹部３ｆ、３ｇが形成されている。
凹部３ｇの後壁に隙間３ｈが形成され、反転部材１９が出没自在に設けられている。
凹部３ｆ、３ｇに軸部３ｉ、３ｊが形成されている。
【００１４】
一対のベ−ル支持腕３ｄ、３ｅの軸部３ｉ、３ｊに夫々一方のベ−ル支持部材６の透孔と他方のベ−ル支持部材６′の透孔が嵌合されて押え板２０、２１挾んで夫々ビス２２、２３で止められている。
一対のベ−ル支持腕３ｄ、３ｅの外側は夫々カバ−２４、２５で覆われてビス２６と図示しないビスで止められている。
一方のベ−ル支持部材６には釣糸案内ロ−ラ２７の取付部２８が取り付けられている。
他方のベ−ル支持部材６′と釣糸案内ロ−ラ２７の取付部２８の間にベ−ル２９が取り付けられている。
リ−ル本体１のリ−ル脚部１ａには一方のベ−ル支持部材６が放出状態にある時衝接される衝接部材３０が突出して設けられている。
【００１５】
スプ−ル５の外側は前側鍔部５ａと釣糸巻回胴部５ｂと円筒部５ｃを備えた後側鍔部５ｄと後側鍔部５ｄの外周後方側にスプ−ル軸１８後方に向けて漸次小径となるテ−パ−部５ｅとテ−パ−部５ｅより後方にスプ−ル軸１８に対するテ−パ−角度が略平行な第二の円筒部５ｆとで形成されている。　円筒部５ｃの前側外周の一箇所には凹部５ｇと透孔５ｈが形成されている。
凹部５ｇと透孔５ｈには弾性を有する糸止め部材７が挿入されてピン３１で固定されている。
糸止め部材７は糸止め舌片７ａと支持杆７ｂで変形Ｔ字形に形成されている。
【００１６】
前記のように魚釣用スピニングリ−ルが構成されると、リ−ル本体１をコンパクト化する目的でロ−タ３の大径の筒部３ｃを小径化した際に、筒部３ｃとスプ−ル５の後側鍔部５ｄの後側の円筒部５ｃの隙間を埋めるテ−パ−部５ｅより後方に第二の円筒部５ｆを形成することで、スプ−ル５の後部へ糸落ちしても第二の円筒部５ｆがロ−タ３への糸落ちを防ぎ、テ−パ−部５ｅへスム−ズに釣糸を案内できるので、糸が抵抗や引っ掛かりを生じること無く前方へ抜けることが出来る。
テ−パ−部５ｅより後方に落ちた釣糸を第二の円筒部５ｆより後方へ糸落ちするのを防ぎ、糸落ち防止効果が高まる。
【００１７】
図４は第１実施例の変形例で、図４はスプ−ルの平面図と一部拡大平面図である。
【００１８】
変形例ではスプ−ル５の第二の円筒部５ｆ外周面に周溝５ｉが形成されている。
周溝５ｉは単一又は複数形成してもよい。
他の構成は前記第１実施例と略同一である。
【００１９】
変形例のようにスプ−ル５の第二の円筒部５ｆ外周面に周溝５ｉが形成されていると、周溝５ｉが釣糸の後方への移動にブレ−キを掛けるので、糸落ち防止効果が更に向上する。
【００２０】
図５は第２実施例で、図５はスプ−ルの一部を断面にした平面図である。
【００２１】
第２実施例では、テ−パ−部５ｅの後方にスプ−ル軸１８に対するテ−パ−角度がテ−パ−部５ｅのテ−パ−角度より小さい第二の円筒部５ｊが形成されている。
他の構成は前記第１実施例と略同一である。
【００２２】
第２実施例のようにスプ−ル５の第二の円筒部５ｊをテ−パ−部５ｅのテ−パ−角度より小さいテ−パ−角度で形成すると、スプ−ル５の後側鍔部５ｄとロ−タ３の筒部３ｃとの間の隙間を大きく設定してもきつい傾斜のテ−パ−部を広範囲に渡って形成せずに済み、糸落ちした釣糸が前方に抜け易くなる。
【００２３】
図６は第３実施例で、図６はスプ−ルの平面図である。
【００２４】
第３実施例では、テ−パ−部５ｅの後方にスプ−ル軸１８に対するテ−パ−角度がテ−パ−部５ｅとは逆方向のテ−パ−角度からなる第二の円筒部５ｋが形成されている。
他の構成は前記第１実施例と略同一である。
【００２５】
第３実施例のようにスプ−ル５の第二の円筒部５ｋを逆方向のテ−パ−角度とすると、テ−パ−部５ｅより後方に落ちた釣糸を第二の円筒部５ｋより後方へ糸落ちするのを防ぎ、糸落ち防止効果が高まる。
【００２６】
図７は第４実施例で、図７はスプ−ルの一部を断面にした平面図である。
【００２７】
第４実施例では、スプ−ル５の後側鍔部５ｄの外周後方側にスプ−ル軸１８後方に向けて漸次小径となるテ−パ−部５ｅとテ−パ−部５ｅより後方にスプ−ル軸１８に対するテ−パ−角度が略平行な第二の円筒部５ｆと、第二の円筒部５ｆより外周後方側にスプ−ル軸１８後方に向けて漸次小径となる第二のテ−パ−部５ｍが形成されている。
他の構成は前記第１実施例と略同一である。
【００２８】
第４実施例によれば、ロ−タ３の筒部３ｃをより小径に、スプ−ル５の後側鍔部５ｄを大口径にしても、第二のテ−パ−部５ｍが糸を掬い、第二の円筒部５ｆで釣糸を前方側へ抜け易く移動させ、第一のテ−パ−部５ｅでスプ−ル５の最外周まで釣糸を移動させるので、途中で釣糸が引っ掛かりを生じたり、テ−パ−角が急で最外周まで糸が案内されないトラブルを解消出来る。
又、従来の第一のテ−パ−部を緩い傾斜とすると、第一の円筒部の軸線方向の長さが短く狭くなるが、上記のように第二のテ−パ−部５ｍまで設けると、最外周の円筒部５ｃの長さを短く狭くせずに済むので、糸止め等の部品を組み込むスペ−スが充分に確保でき、スプ−ル５の後側鍔部５ｄの不要な大型化を防ぐことが可能となる。
【００２９】
前記第４実施例の第二の円筒部５ｆ外周面に前記第１実施例の変形例のように周溝を形成してもよい。
【００３０】
図８は第４実施例の変形例で、図８はスプ−ルの一部断面平面図と一部拡大断面平面図である。
【００３１】
変形例では、第一の円筒部５ｃの外周後方側に別体の補助部材８が接着やネジ加工で固定されている。
補助部材８には第一の円筒部５ｃの内周に嵌合固定される固定部８ａと第一のテ−パ−部８ｂと第二の円筒部８ｃと第二のテ−パ−部８ｄが形成されている。
【００３２】
第一の円筒部５ｃの外周後方側に別体の補助部材８が固定されると、第一の円筒部５ｃに第一のテ−パ−部と第二の円筒部と第二のテ−パ−部が一体に形成される場合に比較して、切削による材料の無駄が少なくなる。
【００３３】
【発明の効果】
本発明は、以上説明したような形態で実施され、以下に記載されるような効果を奏する。
【００３４】
請求項１により、リ−ル本体をコンパクト化する目的でロ−タの大径の筒部を小径化した際に、筒部とスプ−ルの後側鍔部の後側の円筒部の隙間を埋めるテ−パ−部より後方に第二の円筒部を形成することで、スプ−ルの後部へ糸落ちしても第二の円筒部がロ−タへの糸落ちを防ぎ、テ−パ−部へスム−ズに釣糸を案内できるので、糸が抵抗や引っ掛かりを生じること無く前方へ抜けることが出来る。
テ−パ−部より後方に落ちた釣糸を第二の円筒部より後方へ糸落ちするのを防ぎ、糸落ち防止効果が高まる。
【００３５】
請求項２により、ロ−タの筒部をより小径に、スプ−ルの後側鍔部を大口径にしても、第二のテ−パ−部が糸を掬い、第二の円筒部で釣糸を前方側へ抜け易く移動させ、第一のテ−パ−部でスプ−ルの最外周まで釣糸を移動させるので、途中で釣糸が引っ掛かりを生じたり、テ−パ−角が急で最外周まで糸が案内されないトラブルを解消出来る。
又、従来の第一のテ−パ−部を緩い傾斜とすると、第一の円筒部の軸線方向の長さが短く狭くなるが、上記のように第二のテ−パ−部まで設けると、最外周の円筒部の長さを短く狭くせずに済むので、糸止め等の部品を組み込むスペ−スが充分に確保でき、スプ−ルの後側鍔部の不要な大型化を防ぐことが可能となる。請求項３により、スプ−ルの第二の円筒部外周面に周溝が形成されていると、周溝が釣糸の後方への移動にブレ−キを掛けるので、糸落ち防止効果が更に向上する。
【図面の簡単な説明】
【図１】第１実施例で、魚釣用スピニングリ−ルの側面図である。
【図２】同スプ−ルの平面図である。
【図３】同魚釣用スピニングリ−ルの要部断面側面図と一部拡大断面側面図である。
【図４】第１実施例の変形例で、スプ−ルの平面図と一部拡大平面図である。
【図５】第２実施例で、スプ−ルの一部を断面にした平面図である。
【図６】第３実施例で、スプ−ルの平面図である。
【図７】第４実施例で、スプ−ルの一部を断面にした平面図である。
【図８】第４実施例の変形例で、スプ−ルの一部断面平面図と一部拡大断面平面図である。
【符号の説明】
５　スプ−ル
５ａ　前側鍔部
５ｂ　釣糸巻回胴部
５ｃ　円筒部
５ｄ　後側鍔部
５ｅ、８ｂ　テ−パ−部
５ｆ、５ｊ、５ｋ、８ｃ　第二の円筒部
５ｉ　周溝
５ｍ、８ｄ　第二のテ−パ−部
１８　スプ−ル軸
【図１】
2004033116.tif 000003
【図２】
2004033116.tif 000004
【図３】
2004033116.tif 000005
【図４】
2004033116.tif 000006
【図５】
2004033116.tif 000007
【図６】
2004033116.tif 000008
【図７】
2004033116.tif 000009
【図８】
2004033116.tif 000010